(57)【要約】【課題】キッチンルーム等を対象とし、夏期に、コスト的に有利にしかも効果的に冷房することができる冷房システムを提供する。【解決手段】例えばキッチンルーム２について、リビングルーム１の低所に空気吸込み口６が設けられ、キッチンルーム２の高所に空気吹出し口７が設けられ、両口６，７が連通され、リビングルーム１の空気が、ファン９により、空気吸込み口６と空気吹出し口７を通じてキッチンルーム２に送り込まれるようになされている。【選択図】      図１
2006071122.tif 000002
【特許請求の範囲】
【請求項１】
冷房可能なエアコンが設置されるリビングルームの低所に空気吸込み口が設けられ、キッチンルームの高所に空気吹出し口が設けられ、両口が連通され、リビングルームの空気が、ファンにより、空気吸込み口と空気吹出し口を通じてキッチンルームに送り込まれるようになされていることを特徴とするキッチンルーム冷房システム。
【請求項２】
冷房可能なエアコンが設置される第１室の低所に空気吸込み口が設けられ、第２室の高所に空気吹出し口が設けられ、両口が連通され、第１室の空気が、ファンにより、空気吸込み口と空気吹出し口を通じて第２室に送り込まれるようになされていることを特徴とする冷房システム。
【発明の詳細な説明】
【技術分野】
【０００１】
本発明は、キッチンルーム等の冷房システムに関する。
【背景技術】
【０００２】
例えばキッチンルームは、調理時に発生する熱で、夏期に、劣悪な温熱環境になる場合がある。そのため、キッチンルームに壁掛け扇風機を付けたり、キッチンルームを冷房中のリビングルームに開放することが行われている。
【特許文献１】特開２００４−１２５２３６号公報
【発明の開示】
【発明が解決しようとする課題】
【０００３】
しかしながら、扇風機では、涼風感を得ることはできるが、冷房のような冷風感を得ることはできない。また、キッチンルームを冷房中のリビングルームに開放しても、最近のＬＤＫの大型化や調理中の熱などによって、キッチンルームがリビングの冷房でうまい具合に冷やされない場合がある。また、キッチンルームに冷房可能なエアコンを設置するのではイニシャルコストが高くつく。
【０００４】
本発明は、上記のような従来の問題点に鑑み、キッチンルームを、夏期に、コスト的に有利にしかも効果的に冷房することができるキッチンルームの冷房システムを提供することを課題とする。また、本発明は、室に冷房可能なエアコンが設置されていない場合であっても、該室を、夏期に、コスト的に有利にしかも効果的に冷房することができる冷房システムを提供することも課題とする。
【課題を解決するための手段】
【０００５】
上記の課題は、冷房可能なエアコンが設置されるリビングルームの低所に空気吸込み口が設けられ、キッチンルームの高所に空気吹出し口が設けられ、両口が連通され、リビングルームの空気が、ファンにより、空気吸込み口と空気吹出し口を通じてキッチンルームに送り込まれるようになされていることを特徴とするキッチンルーム冷房システムによって解決される。
【０００６】
このシステムでは、リビングルームでの夏期冷房中、ファンを駆動すると、リビングルームの冷やされた空気がファンで積極的にキッチンルームに送り込まれ、キッチンルームを冷房することができる。
【０００７】
特に、本システムでは、吸込み口がリビングルームの低所に設けられ、吹出し口がキッチンルームの高所に設けられ、リビングルーム低所のよく冷やされた空気がキッチンルームの高所から吹き出すようになされているので、キッチンルームをリビングルームの冷気で効果的に冷房することができる。
【０００８】
しかも、互いに連通する吸込み口と吹出し口を設け、ファンを設置するだけでそれを実現することができるので、キッチンルームに冷房可能なエアコンを設置する場合に比べてコストを低く抑えることができる。
【０００９】
また、本発明は、冷房可能なエアコンが設置される第１室の低所に空気吸込み口が設けられ、第２室の高所に空気吹出し口が設けられ、両口が連通され、第１室の空気が、ファンにより、空気吸込み口と空気吹出し口を通じて第２室に送り込まれるようになされていることを特徴とする冷房システムも含む。
【００１０】
即ち、本発明では、第１室での夏期冷房中、ファンを駆動すると、第１室の冷やされた空気がファンで積極的に第２室に送り込まれ、第２室を冷房することができ、特に、吸込み口が第１室の低所に設けられ、吹出し口が第２室の高所に設けられ、第１室低所のよく冷やされた空気が第２の高所から吹き出すようになされているので、第２室をリビングルームの冷気で効果的に冷房することができ、しかも、互いに連通する吸込み口と吹出し口を設け、ファンを設置するだけでよいので、コスト的な有利性を発揮することができる。
【発明の効果】
【００１１】
本発明は、以上のとおりのものであるから、キッチンルームを、夏期に、コスト的に有利にしかも効果的に冷房することができる。また、室に冷房可能なエアコンが設置されていない場合であっても、該室を、夏期に、コスト的に有利にしかも効果的に冷房することができる。
【発明を実施するための最良の形態】
【００１２】
次に、本発明の実施最良形態を図面に基づいて説明する。
【００１３】
図１（イ）に示す第１実施形態の冷房システムにおいて、１は第１室としてのリビングルーム、２は第２室としてのキッチンルームであり、リビングルーム１とキッチンルーム２とは、間仕切り壁３で区画されると共に、図示しない開口部を通じて往き来することができるようになされており、リビングルーム１にはヒートポンプ式などによる冷房可能なエアコン４が設置されている。往き来用の開口部は、常時開放形の戸なし開口部であってもよいし、開閉用の戸を備えた開口部であってもよい。なお、「リビングルーム」の語は、ダイニング等を含む意味において使用しておいる。
【００１４】
そして、前記間仕切り壁３には、リビングルーム１の側において、床面５近傍の低所高さ位置に空気吸込み口６が設けられると共に、キッチンルーム２の側において、天井８近傍の高所高さ位置に空気吹出し口７が設けられ、吸込み口６と吹出し口７とは、間仕切り壁３内に設けられたダクト、あるいは、間仕切り壁３内に形成された空気通路によって連通され、キッチンルーム２の吹出し口７の側にファン９が設置され、ファン９を駆動することにより、リビングルーム１の低所の空気がキッチンルーム２の高所から吹き出すようになされている。
【００１５】
なお、吸込み口６と吹出し口７とを連通する空気通路は、消音ダクトなどの消音手段を用いて、ファン９の駆動音が空気通路を通じてリビングルーム１の側に伝わらないようにしておくのが好ましい。
【００１６】
上記の冷房システムでは、夏期に、リビングルーム１をエアコン４で冷房している時、ファン９を駆動すると、リビングルーム１の冷やされた空気がファン９により、間仕切り壁３内を通じて積極的にキッチンルーム２に送り込まれるのみならず、リビングルーム１の低所のよく冷やされた空気がキッチンルーム２の高所から吹き出すようになされているので、キッチンルーム２をリビングルーム１の冷気で効果的に冷房することができ、夏期に、熱を使った調理をキッチンルーム２で快適に行うことができる。
【００１７】
なお、上記のようにしてキッチンルーム２を冷房している間は、リビングルーム１とキッチンルーム２とを往き来用開口部を通じて連通させておくことにより、吹出し口７からキッチンルーム２への冷気の吹出しをスムーズなものにすることができる。
【００１８】
また、ファン９はキッチンルーム２の吹出し口７の側に備えられており、しかも、吸込み口６と吹出し口７とは高さ位置を異ならせて備えられているので、ファン９の駆動音が、リビングルーム１に伝わるのを効果的に抑制することができ、また、上記のように、空気通路に消音手段を設けるようにすれば、より一層効果的である。
【００１９】
更に、キッチンルーム２での冷房は、上記のように、吸込み口と吹出し口を設け、それらを空気通路で連通させ、ファン９を設置するだけでよいので、キッチンルーム２をコスト的に有利に冷房することができる。
【００２０】
図１（ロ）に示す第２実施形態の冷房システムは、キッチンルーム２とリビングルーム１とが対面型のシステムキッチン１０で区画されているもので、システムキッチン１０に、リビングルーム１の側において、床面５近傍の低所高さ位置に空気吸込み口６が設けられると共に、キッチンルーム２の側において、天井８近傍の高所高さ位置に空気吹出し口７が設けられ、吸込み口６と吹出し口７とは、システムキッチン１０内や、そで壁１１内に設けられたダクト等の空気通路によって連通され、キッチンルーム２の吹出し口７の側にファン９が設置され、ファン９を駆動することにより、リビングルーム１の低所の空気がキッチンルーム２の高所から吹き出すようになされている。その他は、第１実施形態と同様であり、同様の作用効果が奏される。
【００２１】
以上に、本発明の実施形態を示したが、本発明はこれに限られるものではなく、発明思想を逸脱しない範囲で各種の変更が可能である。例えば、上記の実施形態では、第１室がリビングルームで、第２室がキッチンルームである場合を示したが、第１室が夏期に冷房されるリビングルームで、第２室で来客用の和室である場合や、第１室が夏期に冷房される主寝室で、第２室が来客用の寝室である場合、また、第１室、第２室がともに子供部屋である場合などであってもよく、それらの場合であっても、第２室を効果的に冷房することができる。
【図面の簡単な説明】
【００２２】
【図１】図（イ）は第１実施形態の冷房システムを示す屋内の断面正面図、図（ロ）は第２実施形態の冷房システムを示す屋内の断面正面図である。
【符号の説明】
【００２３】
１…リビングルーム（第１室）
２…キッチンルーム（第２室）
４…エアコン
６…吸込み口
７…吹出し口
９…ファン
【図１】
2006071122.tif 000003